(57)【要約】  本願は、動作中に光Ｌ１を放射し、基本的に透明な陽極層５と、基本的に不透明な陰極層７との間に位置する有機層３を有する、ＯＬＥＤデバイス１を説明する。可視光Ｌ２が、陰極のない領域及び／又はより大きい伸展の陰極のない領域１３、１３ａ、１３ｂを通って、ＯＬＥＤデバイスの断面伸展ＣＥの方向に通過することができる、陰極層７が存在する少なくとも一つの陰極領域１１、１１ａ、１１ｂと、複数の陰極のない領域１３、１３ａ、１３ｂ、及び／又は、少なくとも一つのより大きい伸展の陰極のない領域１３、１３ａ、１３ｂとを有するように、陰極層７は、ＯＬＥＤデバイスの主伸展面ＥＰに沿って意図的に構造化される。本願は、かかるＯＬＥＤデバイス１の製造方法も説明する。
2014531126.tif 000002
【特許請求の範囲】
【請求項１】
動作中に光を放射し、基本的に透明な陽極層と基本的に不透明な陰極層との間に位置付けられる有機層を有するＯＬＥＤデバイスであって、
前記陰極層が存在する少なくとも一つの陰極領域と、
複数の陰極のない領域、及び／又は、
少なくとも一つのより大きな伸展の陰極のない領域と
を有するために、前記陰極層が、意図的に前記ＯＬＥＤデバイスの主伸展面に沿って構造化され、
可視光が、複数の陰極のない領域及び／又は少なくとも一つのより大きな伸展の陰極のない領域を通って、前記ＯＬＥＤデバイスの前記断面伸展の方向に通過できる、
当該ＯＬＥＤデバイス。
【請求項２】
陰極のない領域のパターンを有する、請求項１に記載のＯＬＥＤデバイス。
【請求項３】
前記パターンは、前記主伸展面に沿った少なくとも一つの方向に関する反復パターンである、請求項２に記載のＯＬＥＤデバイス。
【請求項４】
前記陰極領域は、図形的要素の描写を形成するように構造化される、請求項１乃至３のいずれか一項に記載のＯＬＥＤデバイス。
【請求項５】
前記透明な陽極層は、透明基板に付与される、請求項１乃至４のいずれか一項に記載のＯＬＥＤデバイス。
【請求項６】
前記陰極層は、前記有機層の側から来る光を反射するように実現される、請求項１乃至５のいずれか一項に記載のＯＬＥＤデバイス。
【請求項７】
前記陰極層は、金属を含む、請求項１乃至６のいずれか一項に記載のＯＬＥＤデバイス。
【請求項８】
正に１つの単一の陰極領域を有するか、又は、少なくとも２つの陰極領域が導電材料により相互接続される複数の陰極領域を有する、請求項１乃至７のいずれか一項に記載のＯＬＥＤデバイス。
【請求項９】
前記陰極のない領域は、前記ＯＬＥＤデバイスに関して所定の位置での観察者の目により達成可能な最小解像度に従って実現される、請求項１乃至８のいずれか一項に記載のＯＬＥＤデバイス。
【請求項１０】
指定された観察者に向かう観察者方向を向く第１の表面と、反対方向を向く第２の表面とを備える窓ガラスであって、前記窓ガラスは、請求項１乃至９のいずれか一項に記載の前記ＯＬＥＤデバイスを有し、前記陽極層は、前記観察者方向に向くように配置されている、窓ガラス。
【請求項１１】
動作中に光を放射し、基本的に透明な陽極層と基本的に不透明な陰極層との間に位置付けられる有機層を有するＯＬＥＤデバイスであって、
前記陰極層が存在する少なくとも一つの陰極領域と、
複数の陰極のない領域、及び／又は、
少なくとも一つのより大きな伸展の陰極のない領域と
を有するために、前記陰極層が、意図的に前記ＯＬＥＤデバイスの主伸展面に沿って構造化され、
可視光が、複数の陰極のない領域及び／又は少なくとも一つのより大きな伸展の陰極のない領域を通って、前記ＯＬＥＤデバイスの前記断面伸展の方向に通過することができる、
当該ＯＬＥＤデバイスの製造方法。
【請求項１２】
前記陰極層は、前記陰極層を部分的に除去することにより構造化される、請求項１１に記載の方法。
【請求項１３】
前記陰極層の部分的な除去は、レーザーアブレーションにより行われる、請求項１２に記載の方法。
【請求項１４】
前記陰極層の部分的な除去は、エッチング、好ましくはプラズマエッチングにより行われる、請求項１２に記載の方法。
【請求項１５】
少なくとも２つの陰極領域は、局所的に付与された透明な導電材料により相互接続される、請求項１１乃至１４のいずれか一項に記載の方法。
【発明の詳細な説明】
【技術分野】
【０００１】
本願は、動作中に光を放射し、基本的に透明な陽極層と基本的に不透明な陰極層との間に位置する有機層を有するＯＬＥＤデバイスを説明する。本願は、このようなデバイスを製造する方法も説明する。
【背景技術】
【０００２】
ＯＬＥＤデバイス、すなわち、有機発光ダイオードデバイスは、面光源というよりはむしろ点光源として一般に説明され得る通常のＬＥＤとは対照的に、面光源である。ＯＬＥＤ技術を用いて実現され得る１つの特徴は、オフ状態において透明である面光源を有することである。
【発明の概要】
【発明が解決しようとする課題】
【０００３】
透明な又は部分的に透明なＯＬＥＤのための従来の概念は、薄く、低吸収性の陰極の使用に基づく。換言すれば、陰極は、透明な又は半透明の材料でできている。ＯＬＥＤデバイスの陽極及び有機層も、同様に透明であるため、完成品のＯＬＥＤデバイスは、一般に透明である。このコンテキストにおいて、用語「透明（transparent）」は、本願全体にわたって、「半透明（translucent）」と同義語としても使用される点に、概ね、留意されたい。「基本的に透明（Essentially transparent）」は、通常、可視周波数内の光が、８０％未満、好ましくは５０％未満、最も好ましくは２０％未満の損失で通過することができる特定の層又はデバイスの状態として定義される。従って、「基本的に透明（essentially transparent）」の反対である「基本的に不透明（essentially opaque）」は、光が少なくとも８０％の比率で吸収されるときに、常に達成される。本説明の全体を通して、「層（layer）」は、単一の一体の層を含むが、特に有機層に関して、層のスタックも含み得る。
【０００４】
例えば、ＵＳ  ２０１１／０１９３４７７  Ａ１は、透明な陽極と透明な陰極との間に有機発光層を備えるＯＬＥＤデバイスを開示する。加えて、有機層から離れる陰極の側に、構造化されたミラー層が、配置される。
【０００５】
透明な陰極を実現するために、しばしば銀ベースの陰極が用いられる。このような薄い銀層と接続される１つの不利な点は、これらが信頼性の問題に悩まされるということである。加えて、銀は、高コストであり、比較的希少な材料である。いわゆるＴＣＯs、すなわち、ＩＴＯ（酸化インジウムスズ）などの透明な導電性の酸化物などの他の材料も理論的には用いられ得るが、光を放射する有機層は、このような層の堆積及び／又は硬化の間に容易に損傷を受け得る。
【０００６】
従って、通過する少なくとも幾らかの周囲光に対して透明であり、製造と維持の両方が同時に容易であるＯＬＥＤデバイスを実現する方法の代替解決策を提供することが、本発明の目的である。
【課題を解決するための手段】
【０００７】
本発明の目的は、請求項１に記載のＯＬＥＤデバイスにより、及び請求項１１に記載の方法により達成される。
【０００８】
本発明によると、上述のようなＯＬＥＤデバイスは、陰極層が存在する少なくとも一つの陰極領域と、可視光が陰極のない領域を通って、ＯＬＥＤデバイスの断面伸展方向を通過できる、複数の陰極のない領域、及び／又は、少なくとも一つのより大きな伸展の陰極のない領域とを有するために、意図的にＯＬＥＤデバイスの主伸展面に沿って構造化された陰極層を有する。
【０００９】
従って、説明されているものは、主伸展面に沿って陰極層が構造化され、それゆえ不透明な領域と透明な領域とに分けられる主伸展面を備える部分的に透明なＯＬＥＤデバイスである。これによって、表現「面（plane）」は、必ずしも面の完全に平坦な伸展を指すというわけではなく、曲面も意味することができる点に留意されたい。陰極層、有機層、及び陽極層は、互いの上に配置され、これは、これらがＯＬＥＤデバイスの断面伸展に沿って配置されることを意味する。
【００１０】
第１の可能性によると、意図的に、すなわちわざと特定の所定の位置に陰極層を構造化することにより、複数の陰極のない領域、すなわち光、特に人間に可視な周波数の範囲にある光が、全ＯＬＥＤデバイスを通過する孔又はホールを有する陰極層の構造が達成される。同様の効果は、上述のＵＳ  ２０１１／０１９３４７７  Ａ１において達成され得るが、層の削減（不透明な反射構造を提供するために、追加の層が必要でない）、及びより複雑でない陰極材料で達成できる。しかしながら、光学的な結果は、非常に類似し、ＯＬＥＤデバイスの動作中、陰極のない領域と陽極との間に発光は起こらない。軽微な散乱効果を除いて、光は、陽極の方向にのみ放射される。陰極のない領域を多くすればするほど、ＯＬＥＤデバイスの全体の透明度は高くなるが、動作中に放射され得る光も少なくなる。
【００１１】
代替又は追加の解決策である第２の可能性によると、少なくとも一つのより大きな伸展の陰極のない領域が供給される。ここで、「より大きな伸展（larger extension）」は、ＯＬＥＤデバイスの主伸展面の全エリアの少なくとも５％、好ましくは少なくとも１０％、及び最も好ましくは少なくとも２０％を有すると定義される。両方の可能性が、周囲光が１つの面から他の面に容易に通過することができるＯＬＥＤデバイスに対して提供される。このようなＯＬＥＤデバイスに対して、銀又はＴＣＯs以外の他の材料が、陰極を実現するために用いられ得る。これは、アルミニウム膜などのよく知られた、かなり安価な材料が用いられ得ることを意味し、アプリケーション及びメンテナンスの両方に関して、より複雑でない材料を使用する可能性を有する。
【００１２】
このコンテキストにおいて、ＯＬＥＤデバイスは、通常、表示領域と非表示領域とに分けられ得ることに留意されたい。例えば、接触エリアとしての役割を果たすＯＬＥＤデバイスの主伸展面に沿った全領域は、表示領域として機能しない。対照的に、表示領域は、意図的に観察者に表示される役割を果たすＯＬＥＤデバイスの領域であり、これは、好ましくは、有機層を活性化することにより光が放射されるエリア内の境界により規定される。
【００１３】
本発明によると、上述のような方法は、陰極層が存在する少なくとも一つの陰極領域と、可視光が陰極のない領域を通って、ＯＬＥＤデバイスの断面伸展方向を通過できる、複数の陰極のない領域、及び／又は、少なくとも一つのより大きな伸展の陰極のない領域とを有するために、陰極層がＯＬＥＤデバイスの主伸展面に沿って意図的に構造化されるステップを含む。
【００１４】
この方法の結果は、本発明によるＯＬＥＤデバイスとなる。本発明による方法を使用する具体的な有利な点は、標準材料が陰極層として用いられ得るという事実にあり、これら標準材料は一般に不透明であるにもかかわらず、部分的に透明なＯＬＥＤデバイスが広範な追加の労力なしに実現されるということである。これは、従属請求項による実施形態のコンテキストに示されるだろう。
【００１５】
このようなＯＬＥＤデバイスは、好ましくは窓ガラスに適用される。このような場合、指定された観察者の位置に依存して、陽極層及び陰極層は、種々異なる方向に向けられ得る。従って、指定された観察者に向かう観察者方向を向く第１の表面と、反対方向、すなわち指定された観察者から離れる方向を向く第２の表面とを備える窓ガラスは、陰極が反対方向に面するように配置され、陽極層が観察者方向に面するように配置される、本発明によるＯＬＥＤデバイスを有することが好ましい。このようなＯＬＥＤデバイスは、例えば、暗い時に、ＯＬＥＤデバイスが室内を照らす一方で、昼間は入って来る光を減らすことができるように、観察者が位置する室内の窓ガラスに例えば適用され得る。
【００１６】
従属請求項及び以下の説明は、特に有利な実施形態及び本発明の特徴を開示する。実施形態の特徴は、適切に組み合わされてもよい。１つの請求項カテゴリのコンテキストに説明されている特徴は、別の請求項カテゴリに等しく適用できる。
【００１７】
本発明の第１実施形態によると、ＯＬＥＤデバイスは、陰極のない領域のパターンを有する。これは、逆に言えば、ＯＬＥＤデバイスは、陰極領域のパターンを有することを意味し、これにより、好ましくは少なくとも１つの陰極のない領域が、陰極領域により囲まれる。このようなパターンは、特にＯＬＥＤデバイスのアプリケーションのコンテキストに依存して、規則的及び不規則的の両方があり得る。パターンは、例えば、陰極のない領域の等しいサイズ及び／又は形状を用いて実現され得る。同じことが、陰極領域に当てはまる。特に、パターンは、主伸展面に沿った少なくとも一つの方向に関する反復パターンであることが好ましい。これは、同じパターン構造が、少なくともこの一方向に沿って、好ましくは両方向に、数回見られ得ることを意味する。最も好ましいのは、一連の陰極のない領域及び陰極領域が連続的に、特に両方向において、同一であるパターンである。例えば、格子パターン、又は矩形若しくは丸形パターンの陰極のない領域及び／又は陰極領域が使用され、それぞれの領域は、ＯＬＥＤデバイスの主伸展面の両方向に、各々から等しい距離に整列する。
【００１８】
代替として又は第１の実施形態に加えて用いられ得る第２の実施形態によると、陰極領域は、図形要素の描写を形成するように構造化される。このような図形要素は、記号だけでなく文字又は数字などの符号を含むことができるが、一種の符号化された画像又は記号といった、必ずしもこれである必要はないが、図形要素を含んでもよい。ＯＬＥＤデバイスは広告又はデザインの目的のために用いることができるため、図形要素は、特にデザイン要素等を含んでもよい。これは、動作中のＯＬＥＤデバイスの色及び光だけが画像又は描写を構成するのではなく、付加的な説明効果を提供できるように、スイッチオフ状態の陰極領域の形状もこれらを構成することを意味する。図形要素は、例えば１つ又は幾つかの陰極領域が図形要素を形作るように、これらを成形することにより実現することができる。しかしながら、図形要素は、別のパターン内の陰極のない領域及び陰極領域の異なるパターンにより実現することもできるので、前記異なるパターンを持つ領域が、それ自体の図形要素を構成するように見える。例えば、パターン内のホールなどの陰極のない領域が、別のエリアにおけるよりも、図形要素の選択されたエリアにおいて小さい場合、この効果は、図形要素の選択されたエリアが、この図形要素であるように見えることである。このような陰極のない領域が、別のエリアにおけるよりも、選択されたエリアにおいて小さい場合にも同様のことがいえる。
【００１９】
好ましくは、透明な陽極層は、例えばガラス又は透明なプラスチックなどの透明基板に付与される。これは、ＯＬＥＤ全体の更なる安定性を提供し、透明な陽極層（及びこの上の層）を環境から絶縁するのにも役立ち、従って、有機層だけでなく陽極層に及び陰極層にさえも損害を与えるであろう湿気又は他の影響に対する保護を提供する。
【００２０】
陰極層が有機層の側から来る光を反射するように実現されるのが更に好ましい。これは、一方向に、すなわち、陰極層から離れる方向に、有機層により放射される光を焦点に集めるのに役立ち、このため、より多くの光が陽極層を介して観察者の方向に放射される。一般に、本発明によるＯＬＥＤデバイスは、光が、基本的に陽極層を通してのみ放射されるように実現され、陰極のない領域を通した光の特定の放出を提供する光の散乱効果は、おそらくほとんどない。この散乱効果は、反射する陰極層により更に減少され得る。加えて、このコンテキストにおける陰極層のミラー効果は、ＯＬＥＤの全体印象に、動作中でない場合であってもデザイン要素の外観を与えるため、特に望ましい。陰極層は、種々異なる領域に構造化されるので、このようなミラーリング用陰極層は、デザイン要素として用いられることができ、このデザイン効果は、ミラー効果により強調される。
【００２１】
特に、陰極層を実現するために用いられる材料は、金属、例えばアルミニウム又は銀を含む。このコンテキストにおいて、銀で不透明度を達成するためには、上述の従来技術におけるよりも、より厚い層が使用される必要があることが留意されなければならない。従来の銀層は、充分な透明度を提供するために約１０nmの厚みを有する。従って、本発明のコンテキストにおいて用いられる不透明な銀層は、以下に概略が説明されるように、著しくより大きな厚みを有する。不透明な銀層は、良好な反射特性という有利な点を有し、これは、層を幾つかのアプリケーションに対して有利にする。他方では、アルミニウム膜又は銀でない他の金属膜は、しばしば、低いコスト及びより少ない労力で提供されることができる。表現「膜（film）」は、前もって製造され、その後ＯＬＥＤデバイスの他の層の上に配置される箔などのユニットを必ずしも指すわけではない点に留意されたい。むしろ、しばしば膜は、蒸着により、場合によっては、スパッタリングによっても他の層の上に配置される。
【００２２】
陰極層の所望の不透明度を達成するために、陰極領域の陰極層は、少なくとも５０nm、好ましくは少なくとも８０nm、最も好ましくは少なくとも１００nmの厚さを持つことが好ましい。上で述べたように、有機層の上方に位置するときに、一体の部品として有機層に付与され、構造化され得る膜から、最も好ましい陰極層が形成される。
【００２３】
本発明によるＯＬＥＤデバイスの１つの有利な点は、不透明度は、陰極層の断面伸展の中の原子の特定の最小量も意味するということである。従って、比較的低いインピーダンスを達成することができる。それゆえ、陰極層は、３Ω／スクエア以下、好ましくは１．５Ω／スクエア以下、好ましくは１Ω／スクエア以下のシート抵抗を有することが好ましい。これは、しかるべき材料厚と組み合わせられる材料の適切な選択により実現することができる。
【００２４】
本発明によるＯＬＥＤデバイスの基本構造は、陰極層が、ＯＬＥＤデバイスの面全体に沿って陰極層として動作されるために、１つの特定のスポットにおいて接触されることのみを必要とするというものである。このため、ＯＬＥＤデバイスは、正に１つの単一の陰極領域又は複数の陰極領域を有し、少なくとも２つ、好ましくは全ての陰極領域が、導電材料により相互接続されることが好ましい。これは、電気相互接続が明確に陰極層内にあることを意味する。ＯＬＥＤデバイスが１つの完全な単一の陰極領域のみを有する場合、この領域は、これが存在する任意のスポットで接触することができることは、明らかである。同様の効果は、別々の陰極領域を、例えば陰極層のレベルで相互接続することにより、実現され得る。その相互接続は、例えば、銀などの透明な導電材料を別々の陰極領域の間に局所的に付与することにより実現し得る。従って、本発明による方法は、局所的に付与された透明な導電材料により、少なくとも２つの陰極領域を相互接続することにより、向上し得る。透明な導電材料を局所的に付与する手段は、透明な導電材料が、ＯＬＥＤデバイスの主伸展面、特に表示領域の主伸展面に沿ってのみ、選択的に付与されることを意味する。
【００２５】
一般にではあるが、特に上述の窓ガラスの適用において、本発明によるＯＬＥＤデバイスの具体的な実施形態で、陰極のない領域は、ＯＬＥＤデバイスに関して所定の位置での観察者の目により達成可能な最小解像度に従って実現される。このことにより、陰極のない領域の形状及び／若しくはサイズ、並びに／又は、互いの距離は、一種のぼけ効果が発生するように、最小解像度が所定の位置での観察者に対して不十分であることが好ましい。例えば、ＯＬＥＤデバイスの陰極層が、陰極のない領域として小さな丸いホールを含む場合、これらのホールのサイズ及び互いの距離のために、その結果、ＯＬＥＤデバイスが動作中のときに、観察者が陰極領域と陰極のない領域とを区別することができず、従って、その代わりに発光面だけを見ることになる。対照的に、同様の効果が、この逆により達成され得る。つまり、陰極領域のサイズを減らすことにより、及び／又は、陰極領域をしかるべく成形することにより、及び／又は、しかるべく互いの距離を調整することにより、同様のぼけ効果が、周囲光に関して達成され得る。
【００２６】
陰極層を構造化する１つの方法は、一体の層としてではなく、これを局所的にのみ付与することによる。この方法で、例えばラインパターンが、実現され得る。しかしながら、陰極層は、これを部分的に除去することにより構造化されるのが好ましい。これは、陰極層を効果的に構造化する特に簡単な方法であり、というのは、陰極層は、まず一部に又は一つの層として付与されることができ、その結果、構造化は、その後の選択の決定的なプロセスであるからである。加えて、陰極抵抗は、このように低くなり得る。このコンテキストにおいて、陰極層を部分的に除去する１つの可能性は、レーザーアブレーションによる態様である。安定したプロセスを意味するこの標準的な方法は、所望の領域においてのみの非常に効率的な除去の単純かつ比較的速い方法を提供する。しかしながら、場合によっては、陰極層の除去は、残骸が生じない態様で行われることを望まれる。残骸は、短絡及び／又は薄膜封止に関する潜在的危険となり得る。従って、陰極層を部分的に除去する別の可能性は、エッチング、好ましくはプラズマエッチングによってである。除去されることになっているエリアは、例えば後続のフォトリソグラフィ又はインクジェット印刷を伴うスピン又はスリット被覆を介して堆積されたレジストでできているエッチングマスクで規定される。
【００２７】
本発明の他の目的及び特徴は、添付の図面と組み合わされる以下の詳細な説明から明らかになるだろう。しかしながら、図面は、単に例示のためにだけであり、本発明の限定の規定としてデザインされたのではないことは、理解されるべきである。
【図面の簡単な説明】
【００２８】
【図１】図１は、本発明によるＯＬＥＤデバイスの実施形態の断面図を示す。
【図２】図２は、図１によるＯＬＥＤデバイスの陰極層のパターンの第１例を示す。
【図３】図３は、図１によるＯＬＥＤデバイスの陰極層のパターンの第２例を示す。
【図４】図４は、図１によるＯＬＥＤデバイスの陰極層のパターンの第３例であって、更に図形要素の第１例を含むように実現された第３例を示す。
【図５】図５は、図１によるＯＬＥＤデバイスの陰極層のパターンの第４例を示す。
【図６】図６は、図形要素を含むように実現された図１によるＯＬＥＤデバイスの陰極層の第２例を示す。
【図７】図７は、図形要素を含むように実現された図１によるＯＬＥＤデバイスの陰極層の第３例を示す。
【図８】図８は、本発明によるＯＬＥＤデバイスの実施形態の適用位置を示す。
【００２９】
図において、同様の数字は、全体を通して同じ対象物を指す。図の対象物は、必ずしも縮尺に合せて描かれているわけではない。
【発明を実施するための形態】
【００３０】
図１は、下から上に（すなわちＯＬＥＤデバイスの断面伸展ＣＥに沿って）、透明なガラス基板９、透明な陽極層５、動作中に光Ｌ１を放射する有機層３、及び陰極層７を有するＯＬＥＤデバイス１を示す。陰極層７は、陰極層７が存在する陰極領域１１と、陰極層７が存在しない陰極のない領域１３との両方がある態様で構造化される。これらの陰極領域１１及び陰極のない領域１３は、ＯＬＥＤデバイス１の主伸展面ＥＰに沿って整列される。アルミニウムが、陰極のない領域に基本的に完全に消失されるように、構造化された陰極層７は、不透明なアルミニウム膜の局所的レーザーアブレーションにより実現されている。陰極領域１１及び陰極のない領域１３は、パターンＰを作り出し、これは規則的な反復するパターンＰである。
【００３１】
ＯＬＥＤデバイスのこの特定の構成は、幾つかの効果を有する。第１に、ＯＬＥＤデバイスは、１つの放射面Ｅ、すなわち陰極層７から離れる面のみを有する。このため、陰極層７は、動作中に有機層３により放射される光がミラーリングされて、放射面Ｅの方向にＯＬＥＤデバイスを出るようになっている。第２に、周囲光Ｌ２は、放射面Ｅの反対の背面ＢからＯＬＥＤデバイスを通過することができ、またこの逆も成立する。このことは、製造が容易な、部分的に透明なＯＬＥＤを提供する、というのは、不透明な陰極層７は、標準の、それ故に比較的安価で使いやすい材料、すなわちアルミニウム膜でできていたからである。
【００３２】
図２は、ＯＬＥＤデバイス１の放射面Ｅから見た陰極層７のパターンＰ１の第１例を示す。ここで、陰極層７は、規則的なパターンで整列し、全体に電気的接触を提供するために任意のスポットで実質的に接触され得る１つの一体の陰極領域１３により囲まれる、かなり小さく丸く成形された、（要するに、円形）の陰極のない領域を有することが分かる。
【００３３】
図３は、ＯＬＥＤデバイス１の放射面Ｅから見た陰極層７のパターンＰ２の第２例を示す。ここで、陰極のない領域１３及び陰極領域１１は、互いに沿って、一種のチェス盤パターンに整列された、大きさの等しい正方形である。更に、互いと接触するこれらの末端での陰極領域１１の単一の正方形間の接触のため、陰極領域１１は、１つの一体の領域であり、それゆえ、任意のスポットで再び接触し得る。
【００３４】
図４は、ＯＬＥＤデバイス１の放射面Ｅから見た陰極層７のパターンＰ３の第３例を示す。図３に示されるように、基本的にパターンＰ２で作り出され、パターンＰ２におけるのと同じく、第１の陰極のない領域１３ａ及び第１のカソード領域１１ａで作り出される。しかしながら、中間エリアでは、十字を表している図形要素が、第２の陰極のない領域１３ｂ及び第２の陰極領域１１ｂのわずかに異なるパターンにより実現され、これによって、後者は第１のカソード領域１１ａよりもサイズが大きく、前者は第１の陰極のない領域１３ａよりサイズが小さい。視覚的効果は、その外側の境界が実際に明確に描かれていないにもかかわらず、図形要素としての十字が観察され得ることである。
【００３５】
図５は、ＯＬＥＤデバイス１の放射面Ｅからの陰極層７のパターンＰ３の第４例を示す。ここで、陰極層７の領域における大部分の空間は、陰極のない領域１３である。陰極領域１１は、規則的に成形された格子パターンにすぎない。にもかかわらず、格子パターンは、再び一体の陰極領域１１を提供するので、再び任意のスポットで接触し得る。
【００３６】
図６は、図形要素Ｆ１を有するＯＬＥＤデバイスの陰極層７の第２例を示す。ここで、名称「Otto」、すなわち文字の組み合わせ、つまり一般に符号が、図形要素Ｆ１として描写されている。図形要素Ｆ１は、陰極領域１１により作り出されるのに対し、Ｏのホール内部及びＯＬＥＤデバイス１の表示領域の周辺部は、陰極のない領域１３でできている。これは、ＯＬＥＤデバイス１のスイッチがオフのときにも、ＯＬＥＤデバイス１がスイッチがオンのときにも、図形要素Ｆ１が見られることを意味する。
【００３７】
図７は、図形要素Ｆ２を有するＯＬＥＤデバイス１の陰極層７の第３例を示す。このコンテキストでは、表示領域Ｄの規定も説明する。図形要素Ｆ２は、周囲円１５により囲まれる陰陽符号である。この周囲円１５は、ＯＬＥＤデバイス１の表示領域Ｄの境界を定める。陰陽符号は、特定の魚のような形の中央にホールを有する。１つの陰極のない領域１３は、魚のような形の陰極領域１１内でホールを構成するのに対し、第２の陰極領域１１は、魚のような形の陰極のない領域１３内でホールを構成する。１つの接触で同時に両方の陰極領域１１を接触させるために、導電材料の２本の導電トレース１７は、これらの２つの導電領域１１を相互接続するので、これら両方がただ１つの接触に基づいて光を放射することができる。ＯＬＥＤデバイス１がスイッチオフの間又は動作している間のいずれにも、これらの導電トレース１７は、観察者がこれらを見ることができないように、透明なトレース１７である。
【００３８】
図８は、ＯＬＥＤデバイス１の実施形態の特定のアプリケーション位置を示す。図２に示されるパターンＰ１を用いて実現されるＯＬＥＤデバイス１は、窓２１の窓ガラス１９に取り付けられる。陽極層５は、窓２１からの所定の距離ｄ２での所定のユーザ位置ＵＰから窓２１を見る観察者Ｕの方向を向けられた窓ガラス１９の第１の表面Ｓ１の方向に向いている。従って、陰極層７は、反対方向、すなわち第１の表面Ｓ１の反対側にある第２の表面Ｓ２の方向を向く。ＯＬＥＤデバイス１のパターンＰ１は、陰極のない領域１３が互いから等しい距離ｄ１にあるように実現される。この距離ｄ１は、観察者の所定のユーザ位置ＵＰで、観察者Ｕの所定の距離ｄ２に依存して規定される。距離ｄ１は、観察者Ｕが、ＯＬＥＤデバイス１の動作中に、陰極領域１１と陰極のない領域１３とを区別することが可能でないように選択される。従って、観察者Ｕに、彼がその面の全体にわたって光を放射する発光源に直面しているという全体的な印象を与える、一種の不鮮明な効果が発生する。
【００３９】
本発明は、好ましい実施形態及びバリエーションの形式で開示されているにもかかわらず、多数の付加的な変更及びバリエーションが、本発明の範囲から離れることなくなされることができることが理解されるだろう。例えば、陰極領域のパターン及び形状は、非常に多様な可能性からの選択を構成する。更に、図１に示される層から離れて、本発明によるＯＬＥＤデバイスは、一つ以上の付加的な機能的な又はデザイン性のある層を有する。
【００４０】
明確にするために、「ａ」又は「an」の本願全体にわたる使用は、複数を除外せず、「を有する（comprising）」は、他のステップ又は要素を除外しないことは理解されるべきである。
【図１】
2014531126.tif 000003
【図２】
2014531126.tif 000004
【図３】
2014531126.tif 000005
【図４】
2014531126.tif 000006
【図５】
2014531126.tif 000007
【図６】
2014531126.tif 000008
【図７】
2014531126.tif 000009
【図８】
2014531126.tif 000010
【国際調査報告】
2014531126.tif 000011
2014531126.tif 000012
2014531126.tif 000013